(57)【特許請求の範囲】
【請求項１】
人体背面のマッサージ用のマッサージ機構を背もたれ内に配した椅子型のマッサージ機において、
座部に配された上下２層からなる座クッションを備えるとともに上層側の座クッションと下層側の座クッションとは少なくとも前端側を除く他の部分で連結されており、
上層側の座クッションの自由端となっている前端縁から椅子の構造体に先端が連結される可撓性の連結片が延出されており、
上記連結片の先端が連結される構造体は、座部の前方に上下に回動自在に配された足置き台のフレームであり、
上記連結片は、上層側の座クッションの上面側につながることを特徴とするマッサージ機。
【請求項２】
上記連結片はクッション材を内包するとともに斜め下方側に向けて屈曲しているものであることを特徴とする請求項１記載のマッサージ機。
【請求項３】
上記下層側の座クッションはその前端側の上縁に面取り部を備えていることを特徴とする請求項１または２記載のマッサージ機。
【請求項４】
上記連結片の先端は、足置き台のフレームの回動軸よりも下方側の部分に連結されていることを特徴とする請求項１〜３のいずれか１項に記載のマッサージ機。
【請求項５】
上記座クッションは上層側の座クッションよりも下方側に膨張収縮するエアバッグを備えていることを特徴とする請求項１〜４のいずれか１項に記載のマッサージ機。
【発明の詳細な説明】
【技術分野】
【０００１】
本発明は、マッサージ機、殊に椅子型のマッサージ機に関するものである。
【背景技術】
【０００２】
人体背面のマッサージ用のマッサージ機構を背もたれ内に配したマッサージ機において、座部に設けた座クッションに膨張収縮するエアバッグを配して、臀部から大腿部にかけての部分にマッサージを行うことができるようにしたものが提供されている。
【先行技術文献】
【特許文献】
【０００３】
【特許文献１】特開２００１−３２７５６６号公報
【発明の概要】
【発明が解決しようとする課題】
【０００４】
この場合、エアバッグが座クッションの上面にあっては外観的に見苦しいものとなるために、座クッションを上下２層で構成し、両者の間にエアバッグを配置するのがクッション性やマッサージの点などで良好な結果を得られるが、上下２層の座クッションの全周縁を閉じてしまうと、エアバッグの膨張が妨げられてしまうことになる。
【０００５】
しかし、エアバッグの膨張を考慮して上層の座クッションと下層の座クッションとを例えば後端側のみで連結していると、エアバッグの膨張収縮を繰り返すと、人体と接している上層側の座クッションがだんだんずれてしまうことが生じる。
【０００６】
本発明はこのような点に鑑みなされたものであって、上下２層の座クッションを常に良好な状態に保つことができるマッサージ機を提供することを課題とするものである。
【課題を解決するための手段】
【０００７】
本発明は、人体背面のマッサージ用のマッサージ機構を背もたれ内に配した椅子型のマッサージ機において、座部に配された上下２層からなる座クッションを備えるとともに上層側の座クッションと下層側の座クッションとは少なくとも前端側を除く他の部分で連結されており、上層側の座クッションの自由端となっている前端縁から椅子の構造体に先端が連結される可撓性の連結片が延出されており、上記連結片の先端が連結される構造体は、座部の前方に上下に回動自在に配された足置き台のフレームであり、上記連結片は、上層側の座クッションの上面側につながることに特徴を有している。
【０００８】
上記連結片はクッション材を内包するとともに斜め下方側に向けて屈曲しているものであることが好ましく、下層側の座クッションはその前端側の上縁に面取り部を備えていることが好ましい。
【０００９】
上記連結片の先端は、足置き台のフレームの回動軸よりも下方側の部分に連結されたものとするのが好ましい。
【００１０】
また、上記座クッションは上層側の座クッションよりも下方側に膨張収縮するエアバッグを備えているものであってもよい。
【発明の効果】
【００１１】
本発明においては、上下２層の座クッションの少なくとも前端側を連結せずにおくとともに上層側の座クッションの前端を連結片で構造体に連結しているために、良好な座り心地を確保しつつ、上層側の座クッションがずれ動いたりしてしまうことを防ぐことができるものであり、しかもエアバッグを有していても上層側の座クッションがエアバッグの膨張を妨げてしまうことがないものである。
【００１２】
そして連結片がクッション材を内包するとともに斜め下方側に向けて屈曲していると、さらに座り心地を良くすることができる上に外観も良好に保つことができるものであり、また下層側の座クッションの前端側の上縁に面取り部を設けておけば、より良好な座り心地とより良好な外観とを確保することができる。
【００１３】
また上記連結片の先端が連結される構造体は、座部の前方に上下に回動自在に配された足置き台のフレームとしておくと、座部の下方のフレームなどに固定する場合に比して、足載せ台との間の隙間を隠すことができて、外観が良好となる上に、上記隙間に手足が挟まれてしまう事態を防ぐことができる。特に、上記連結片の先端は、足置き台のフレームの回動軸よりも下方側の部分に連結されたものとしておくと、足載せ台の回動に応じて上層側の座クッションにかかるテンションを調節することができるために、マッサージの際も足載せ台を収納している時も好ましい状態を得ることができる。
【００１４】
また、上記座クッションは上層側の座クッションよりも下方側に膨張収縮するエアバッグを備えているものが、臀部や大腿部のマッサージを行えることになって好ましい。
【図面の簡単な説明】
【００１５】
【図１】本発明の実施の形態の一例を示す斜視図である。
【図２】同上の斜視図である。
【図３】同上の側面である。
【図４】同上のリクライニング時の側面図である。
【図５】(a)(b)は同上の座部の側面図である。
【図６】同上の他例の座クッションの斜視図である。
【図７】同上の更に他例の座クッションの斜視図である。
【発明を実施するための形態】
【００１６】
本発明を実施の形態の一例に基づいて詳述すると、図１及び図２に示す椅子型のマッサージ機は、リクライニング自在な背もたれ１内にマッサージ機構（図示せず）を配したもので、上記背もたれ１に加えて、座部２と座部２の両側に位置する肘掛け３，３、座部２の前端下方に配した足載せ台４、そして上記座部２が上面に配されているフレーム５とからなるもので、上記足載せ台４はフレーム５の前端側上部に軸支されて該軸を中心に回動自在となっており、該回動によって座部２の前方側にほぼ水平状態に位置させることができる。なお、図では左側の肘掛け３を省略している。
【００１７】
上記フレーム５内には、上記足載せ台４の回動駆動のためのユニットと、背もたれ１のリクライニング動作を担うリフトユニット５１に加えて、後述の各エアバッグへのエア供給用のエアポンプ及び弁が配設されている。図中５５はフレームカバーである。
【００１８】
上記背もたれ１は、図３に示すように、その下部が上記フレーム５の上部後端に軸５０によって支持されるとともに、その下端とフレーム５の上部前端との間に配したリフトユニット５１の伸縮によって軸５０を中心に回動することでリクライニング自在となっているもので、枠型をした背もたれフレーム１０に箱型の枠１１を被せ、更に枠１１を外皮１２で覆ったものとして形成されており、背もたれ１内に配された前記マッサージ機構は背もたれフレーム１０に沿って上下に移動自在なものとなっており、人体背面に対するマッサージは、上記枠１１の前面に設けられた開口部１３を通じて上記外皮１２ごしに施療子６を人体背面に接触させることで行う。
【００１９】
肘掛け３は、座部２の側方に配された側板３０と、側板３０の外面を覆うサイドカバー３１、側板３０の上面に被せられる肘掛け部３２、そして肘掛け部３２の上面に配した肘掛けカバー３３とからなるもので、肘掛けカバー３３はその前端側が肘掛け部３２に連結されているとともに肘掛け部３２との対向面にエアバッグ（図示せず）が配されており、肘掛け部３２上面と肘掛けカバー３３との間に腕を入れて上記エアバッグを膨張収縮させることで腕に対するマッサージを行うことができるものとなっている。
【００２０】
また、ここにおける肘掛け３は、図３及び図４に示すように、その側板３０の後端部が背もたれ１に軸３５で連結されているとともに、側板３０の前端部に軸３７で連結されたリンク３６が軸３８によって前記フレーム５に連結されたものとなっているために、背もたれ１のリクライニング動作に同期して上面の角度が変化する。ただし、図示例のものでは、背もたれ１の角度変化よりも、肘掛け３上面の角度変化の方を小さくしており、背もたれ１を起こした状態では背もたれ１前面と肘掛け３上面とがなす角度α１が１１５°であるのに対し、背もたれ１を最も寝かした状態では背もたれ１前面と肘掛け３上面とがなす角度α２が１６０°となるようにしている。
【００２１】
背もたれ１のみがリクライニングして肘掛け３が動かない場合と比較すると、背もたれ１を寝かせた時も肘掛け３上に腕をリラックスさせた状態で置いておくことができるものであり、また背もたれ１を寝かせた状態でも肘掛け３における上記エアバッグによるマッサージを腕（手首や手を含む）に対して行うことができるものである。
【００２２】
肘掛け３の内側面（座部２側の面）にはフレーム５に固定したサイドプレート６０を設けているとともに、サイドプレート６０の内側面にエアバッグ６１を配してある。このエアバッグ６１の膨張収縮によって、腰から大腿部の側面をマッサージあるいは固定することができるようになっている。
【００２３】
また、ここにおける背もたれ１は、前方側に突出する側壁１５を有して、該側壁１５の内側面にエアバッグ１６が配されることで、マッサージ部材が背もたれ１の両側上部に設けられているのであるが、背もたれ１の上部両側に側方に張り出した張り出し部１４，１４を設けて、この張り出し部１４の前面から側壁１５を前方へ突出させている。
【００２４】
上記張り出し部１４は、その上端が背もたれ１の上端に滑らかに繋がるとともに下方ほど側方への張り出しが大きくなっているもので、側壁１５も張り出し部１４の側縁に沿って設けているために、張り出し部１４側面の傾斜に合わせた傾きを持っている。しかも側壁１５の前方への突出量も、背もたれ１の上端側ではゼロで下方ほど大きくなる形状となっているために、この側壁１５は、背もたれ１と一体感のあるものとなっている。また、側壁１５の内側面に配したエアバッグ１６も、側壁１５と同様に下側ほど大きい三角形状の外形を持つものとしている。
【００２５】
前記座部２には図５に示すように上下２層の座クッション２１，２２が配されている。これら座クッション２１，２２は後端側で連結されているとともに下層側の座クッション２２がフレーム５に固定されているもので、下層側の座クッション２２の上面に臀部及び大腿部のマッサージ用の複数のエアバッグ２４が配されている。
【００２６】
また、上層側の座クッション２１の上面側につながる連結片２３が座クッション２１の前端縁から延出されており、可撓性を有する（さらに好ましくは伸縮性を有する）連結片２３はその先端縁が上下に回動自在となっている足載せ台４におけるフレーム４０に例えばフックやピンなどで連結されている。
【００２７】
このマッサージ機において、座部２に座って背もたれ１に背を預け、この状態で背もたれ１の側壁１５の内側に配したエアバッグ１６を膨張収縮させれば、肩から上腕にかけての人体側面をマッサージすることができる。また、エアバッグ１６を膨張させることで背もたれ１に対して人体を固定すれば、背もたれ１内に配したマッサージ機構が施療子で人体を背後から押す時、人体が背もたれ１から浮き上がることがないために、人体背面に対するマッサージを効果的に行うことができる。
【００２８】
なお、側壁１５を備えた張り出し部１４は、背もたれ１の上部のみに設けており、側壁１５もこの張り出し部１４の範囲内で設けている。このためにリクライニング動作させた時に肘掛け１に載せた腕に張り出し部１４や側壁１５が干渉してしまうことはない。また、背もたれ１の側面から側方に張り出し部１４を張り出しているとはいえ、この張り出し１４は、座部２の両側に配した肘掛け３，３よりも側方に突出するものではないために、梱包時のサイズが大きくなってしまうことはない。
【００２９】
また、座部２に配したエアバッグ２４を膨張収縮させれば、臀部や大腿部に対するマッサージを行うことができる。そしてエアバッグ２４の膨張時、上層側の座クッション２１は押し上げられることになる。
【００３０】
ここにおいて、このマッサージ機でマッサージを行う場合、通常、背もたれ１をリクライニングさせるとともに、足載せ台４を図５(b)に示すように上方側に回動させた状態でマッサージを行うものであり、この時、上層側の座クッション２１の連結片２３は、足載せ台４のフレーム４０の回動軸４１よりも下方側に位置する被連結部４２に連結されているために、足載せ台４の上記回動で連結片２３が弛むこと、そして上層側の座クッション２１の前端縁と両側縁とは下層側の座クッション２１に連結されていないことから、エアバッグ２４の膨張を座クッション２１が妨げてしまうことがないものであり、しかも連結片２３の存在により、エアバッグ２４の膨張収縮を繰り返しても、座クッション２１がずれてしまうことはない。
【００３１】
また、マッサージが終了して、足載せ台４を元の図５(a)に示す状態に戻せば、足載せ台４のフレーム４０の回動で座クッション２１は前端側が引っ張られることから、座クッション２１はその表面にテンションがかかった見栄えの良い外観を保つことができる。さらに連結片２３は座部２と足載せ台４との間の隙間に手足が挟まってしまうことを防ぐことにもなる。そして連結片２３が伸縮性を有するものであれば、エアバッグ２５のより大きい膨らみに座クッション２１が追従することができるために、施療感を向上させることができる。
【００３２】
連結片２３内にもクッション材を入れておくことが、座部２に座った時の膝裏の感触を良好に保つことができる点で望ましい。この場合、連結片２３は図６に示すように定常状態が斜め下方に向くような形状であると、足載せ台４の角度をどのようにした時にも馴染みやすく且つ皺も寄り難くなって美観が向上する。また、図６に示すように、下層側の座クッション２２の前端上部は曲面乃至斜面からなる面取り部２６としておくと、座り心地の点でも外観の点でもさらに良好な状態を保つことができる。
【００３３】
上記実施例においては、上下２層の座クッション２１，２２をその後端縁でのみ連結したものを示したが、エアバッグ２４の膨張を妨げないように連結したものであればよく、図７に示すように、前後方向の中央部及び幅方向の中央部で座クッション２１，２２同士を連結したものであってもよい。
【符号の説明】
【００３４】
１  背もたれ
２  座部
４  足載せ台
２１  座クッション
２２  座クッション
２５  連結片
【図１】
0005406649.tif 000002
【図２】
0005406649.tif 000003
【図３】
0005406649.tif 000004
【図４】
0005406649.tif 000005
【図５】
0005406649.tif 000006
【図６】
0005406649.tif 000007
【図７】
0005406649.tif 000008